(57)【要約】【課題】簡単な構造で温度センサを保持し温度誤検知を防止しさらに異常音の発生を防止する、より品質の良い空気調和機の温度センサ固定装置を提供する。【解決手段】一面に開口面３を有する箱部５と、開口面３に対向する箱部底面５ａの一端に設けられ、他の部品に連結される第一本体固定部４と、開口面３上の一端に形成され温度センサ１０を固定する温度センサ固定溝６を有する温度センサ固定面８と、開口面３および温度センサ固定面８を連結する薄肉部９と、温度センサ固定面８の反開口面３側に形成され、他の部品に連結される第二本体固定部７とを備え、温度センサ固定面８を１８０°開口面３側に折り返すことにより、温度センサ１０の感熱部１１が箱部５内に収納され、第一本体固定部４と第二本体固定部７が略平行に且つ同一方向に突出するようにしたもので、簡単な構造で、温度センサ１０を確実に保持し、温度誤検知を防止することができる。【選択図】図１
2009204170.tif 000002
【特許請求の範囲】
【請求項１】
一面に開口面を有し少なくとも他の二面に複数の連通孔を設けて形成された箱部と、前記開口面に対向する箱部底面の一端に設けられると共に他の部品に連結される第一本体固定部と、前記開口面上の一端に形成され、温度センサを固定する温度センサ固定溝を有する温度センサ固定面と、前記開口面および前記温度センサ固定面を連結する薄肉部と、前記温度センサ固定面の反開口面側に形成されると共に他の部品に連結される第二本体固定部とを備え、前記温度センサ固定面を１８０°前記開口面側に折り返すことにより、前記温度センサの感熱部が前記箱部内に収納されと共に、前記第一本体固定部と前記第二本体固定部が略平行に且つ同一方向に突出するように配設されることを特徴とする空気調和機の温度センサ固定装置。
【請求項２】
温度センサ固定面と開口面のいずれか一方に固定穴を設け、他方に固定爪を設け、前記温度センサ固定面を折り返したときに、前記固定爪が前記固定穴に係合して、前記温度センサ固定面と前記開口面とを密着保持するようにした請求項１に記載の空気調和機の温度センサ固定装置。
【請求項３】
温度センサ固定面に、温度センサの感熱部近傍の電線を保持する感熱部保持溝を有する感熱部保持板を設けた請求項１または２に記載の空気調和機の温度センサ固定装置。
【請求項４】
温度センサ固定面を折り返したときに、感熱部保持板の感熱部を配置しない側に近接すると共に感熱部保持溝の一部を覆う電線保持板を箱部底面に形成した請求項３に記載の空気調和機の温度センサ固定装置。
【発明の詳細な説明】
【技術分野】
【０００１】
本発明は、空気調和機の温度センサ固定装置に関するものである。
【背景技術】
【０００２】
従来、この種の空気調和機の温度センサ固定装置には、温度センサの感熱部を収納するための箱部と、温度センサの感熱部を固定する温度センサ固定面を樹脂材料にて一体に形成し、箱部に対して温度センサ固定面を折り返すことで温度センサの感熱部を箱部に収納するようにしたものがあった（例えば、特許文献１参照）。
【０００３】
図９および図１０は、上記特許文献１に記載された従来の空気調和機の温度センサ固定装置の斜視図である。
【０００４】
図９および図１０に示すように、従来の空気調和機の温度センサ固定装置１は、連通孔２と開口面３と第一本体固定部４を有する箱部５、温度センサ固定溝６と第二本体固定部７を有する温度センサ固定面８と、箱部５と温度センサ固定面８を連結する薄肉部９を一体に形成して構成されており、温度センサ１０の感熱部１１近傍の電線１２を温度センサ固定溝６に挿入した後、箱部５に対して温度センサ固定面８を薄肉部９で折り返し、空気調和機の熱交換器１３の冷媒配管１４の間に差し込んで使用されるようになっている。
【特許文献１】特開平１１−１５９８４０号公報
【発明の開示】
【発明が解決しようとする課題】
【０００５】
しかしながら、前記従来の空気調和機の温度センサ固定装置の構成では、温度センサ固定装置１の第一本体固定部４および第二本体固定部７は、温度センサ固定装置１の片側の端部に形成され、かつ熱交換器１３の冷媒配管１４の間に差し込んで空気調和機に設置されるため、空気調和機の輸送時や設置時に外力が加わって温度センサ固定装置１が傾き、温度センサ１０の感熱部１１が最適位置より移動することにより空気温度を正確に検知できないことがあり、さらに本体固定部７近傍の熱交換器１３のフィンを倒すことにより取付嵌合がゆるみ、運転時に異常音を発生するという課題を有していた。
【０００６】
本発明は、前記従来の課題を解決するもので、簡単な構造で温度センサを保護して温度誤検知を防止でき、さらに異常音の発生を防止できる空気調和機の温度センサ固定装置を提供することを目的とする。
【課題を解決するための手段】
【０００７】
前記従来の課題を解決するために、本発明の空気調和機の温度センサ固定装置は、一面に開口面を有し少なくとも他の二面に複数の連通孔を設けて形成された箱部と、前記開口面に対向する箱部底面の一端に設けられると共に他の部品に連結される第一本体固定部と、前記開口面上の一端に形成され、温度センサを固定する温度センサ固定溝を有する温度センサ固定面と、前記開口面および前記温度センサ固定面を連結する薄肉部と、前記温度センサ固定面の反開口面側に形成されると共に他の部品に連結される第二本体固定部とを備え、前記温度センサ固定面を１８０°前記開口面側に折り返すことにより、前記温度センサの感熱部が前記箱部内に収納されと共に、前記第一本体固定部と前記第二本体固定部が略平行に且つ同一方向に突出するように配設されるもので、空気温度を感知する機能を損なわずに簡単な構造で温度センサを保護し感熱部を最適位置に保持して温度誤検知を防止しさらに異常音の発生を防止する、信頼性の高い空気調和機を提供することができる。
【発明の効果】
【０００８】
本発明の空気調和機の温度センサ固定装置は、簡単な構造で温度センサを保護し温度誤検知を防止しさらに異常音の発生を防止することができ、より品質のよい空気調和機をユーザーに安価に提供することができる。
【発明を実施するための最良の形態】
【０００９】
第１の発明は、一面に開口面を有し少なくとも他の二面に複数の連通孔を設けて形成された箱部と、前記開口面に対向する箱部底面の一端に設けられると共に他の部品に連結される第一本体固定部と、前記開口面上の一端に形成され、温度センサを固定する温度センサ固定溝を有する温度センサ固定面と、前記開口面および前記温度センサ固定面を連結する薄肉部と、前記温度センサ固定面の反開口面側に形成されると共に他の部品に連結される第二本体固定部とを備え、前記温度センサ固定面を１８０°前記開口面側に折り返すことにより、前記温度センサの感熱部が前記箱部内に収納されと共に、前記第一本体固定部と前記第二本体固定部が略平行に且つ同一方向に突出するように配設されるもので、空気温度を感知する機能を損なわずに簡単な構造で温度センサを保護し感熱部を最適位置に保持して温度誤検知を防止しさらに異常音の発生を防止する、信頼性の高い空気調和機を提供することができる。
【００１０】
第２の発明は、特に、第１の発明の温度センサ固定面と開口面のいずれか一方に固定穴を設け、他方に固定爪を設け、前記温度センサ固定面を折り返したときに、前記固定爪が前記固定穴に係合して、前記温度センサ固定面と前記開口面とを密着保持するようにしたもので、温度センサ固定装置を熱交換器等の他の部品に差し込まない状態でも、完成状態を維持することができ組立作業時の温度センサの保護をより確実にしさらに組立作業を容易にすることができる。
【００１１】
第３の発明は、特に、第１または第２の発明の温度センサ固定面に、温度センサの感熱部近傍の電線を保持する感熱部保持溝を有する感熱部保持板を設けたもので、温度センサの感熱部を最適位置に保持して温度誤検知を防止することができる。
【００１２】
第４の発明は、特に、第３の発明の温度センサ固定面を折り返したときに、感熱部保持板の感熱部を配置しない側に近接すると共に感熱部保持溝の一部を覆う電線保持板を箱部底面に形成したもので、より確実に温度センサの感熱部を最適位置に保持し温度誤検知を防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の温度センサ固定装置の斜視図、図２は、同空気調和機の温度センサ固定装置の完成状態を示す斜視図である。尚、上記従来の空気調和機の温度センサ固定装置（図９、図１０）と同じ部品については、同じ符号を用い、その説明を省略する。
【００１５】
図１、図２において、本実施の形態における空気調和機の温度センサ固定装置１には、一面に開口面３を設け少なくとも他の二面に複数の連通孔２を設けて形成される箱部５と、前記箱部５の開口面３に対向する箱部底面５ａの一端に、他の部品（本実施の形態では、熱交換器１３の冷媒配管１４）に連結される第一本体固定部４を形成し、前記開口面３の一端には、温度センサ１０を固定する温度センサ固定溝６を有する温度センサ固定面８と、前記箱部開口面３および温度センサ固定面８を連結する薄肉部９とを設け、さらに前記温度センサ固定面８の反開口面３側の端部には、同じく他の部品（本実施の形態では、
熱交換器１３の冷媒配管１４）に連結される第二本体固定部７が形成されている。
【００１６】
以上のように構成された本実施の形態における空気調和機の温度センサ固定装置１について、以下その動作、作用を説明する。
【００１７】
まず、温度センサ１０は、感熱部１１近傍の電線１２を温度センサ固定溝６に挿入設置される。次に、開口面３に対し、温度センサ固定面８を１８０°折り返すことで、温度センサ１０の感熱部１１が箱部５に収納されかつ第一本体固定部４と第二本体固定部７が平行に同一方向に突出して配設される。
【００１８】
第一本体固定部４と第二本体固定部７を熱交換器１３の冷媒配管１４の間に差し込むことにより、温度センサ固定装置１は空気調和機に設置される。
【００１９】
本実施の形態においては、箱部５に形成される連通孔２は少なくとも一辺を３ｍｍ以下とした矩形状の孔とし温度センサ１０の感熱部１１が連通孔２を貫通できない構成を採っているが、感熱部１１よりも小なる形状であれば連通孔２は円形等をなして構成してもよい。
【００２０】
以上のように、本実施の形態においては、温度センサ固定装置１を、一面に開口面３を設け少なくとも他の二面に複数の連通孔２を設けて形成される箱部５と、前記開口面３に対向する箱部底面５ａの一端に、他の部品と連結する第一本体固定部４を形成し、前記開口面３上の一端には、温度センサ固定溝６を有する温度センサ固定面８と前記開口面３および温度センサ固定面８を連結する薄肉部９とを設け、さらに前記温度センサ固定面８に、第二本体固定部７を形成し、前記開口面３に対し、前記温度センサ固定面８を１８０°折り返すことで温度センサ１０の感熱部１１が箱部５に収納されかつ前記第一本体固定部４と第二本体固定部７が平行に同一方向に突出して配設されるように構成することにより、空気温度を感知する機能を損なわずに、簡単な構造で温度センサ１０を保護し、感熱部１１を最適位置に保持して温度誤検知を防止しさらに異常音の発生を防止する、信頼性の高い空気調和機を提供することができる。
【００２１】
（実施の形態２）
図３は、本発明の第２の実施の形態における空気調和機の温度センサ固定装置の斜視図、図４は、同空気調和機の温度センサ固定装置の完成状態を示す斜視図である。尚、上記第１の実施の形態における空気調和機の温度センサ固定装置と同一部分については、同一符号を付して、その説明を省略する。
【００２２】
本実施の形態における空気調和機の温度センサ固定装置１は、図３、図４に示すように、開口面３に固定穴１６を設け、温度センサ固定面８を１８０°折り返したときに前記固定穴１６に係止し、温度センサ固定面８と箱部開口面３とを密着保持するための固定爪１５を、温度センサ固定面８に設けたもので、他の構成は、上記第１の実施の形態と同一である。
【００２３】
以上のように、本実施の形態によれば、温度センサ固定装置１を折り返しされた温度センサ固定面８と開口面３とを密着保持する固定爪１５と固定穴１６を設けたことにより、温度センサ固定装置１を熱交換器１３に差し込まない状態でも完成状態を維持することができ組立作業時の保護をより確実にしさらに組立作業を容易にすることができる。
【００２４】
尚、上記実施の形態では、開口面３側に固定穴１６を、温度センサ固定面８側に固定爪１５をそれぞれ設けたが、開口面３側に固定爪１５を、温度センサ固定面８側に固定穴１６をそれぞれ設けても、同一の効果が得られることは、言うまでもない。
【００２５】
（実施の形態３）
図５は、本発明の第３の実施の形態における空気調和機の温度センサ固定装置の斜視図、図６は、同空気調和機の温度センサ固定装置の完成状態を示す斜視図である。尚、上記実施の形態における空気調和機の温度センサ固定装置と同一部分については、同一符号を付して、その説明を省略する。
【００２６】
本実施の形態における温度センサ固定装置１は、図５、図６に示すように、温度センサ固定面８に、温度センサ１０の感熱部１１近傍の電線１２を保持する感熱部保持溝１７を有する感熱部保持板１８を形成したもので、他の構成は、上記第２の実施の形態における温度センサ固定装置１と同じである。
【００２７】
以上のように、本実施の形態によれば、温度センサ固定装置１の温度センサ固定面８に、温度センサ１０の感熱部１１近傍の電線１２を保持する感熱部保持溝１７を有する感熱部保持板１８を設けたことにより、温度センサ１０の感熱部１１を最適位置に保持し温度誤検知を防止することができ、信頼性の高い空気調和機を提供することができる。
【００２８】
（実施の形態４）
図７は、本発明の第４の実施の形態における空気調和機の温度センサ固定装置の斜視図、図８は、同空気調和機の温度センサ固定装置の完成状態を示す斜視図である。尚、上記実施の形態における空気調和機の温度センサ固定装置と同一部分については、同一符号を付して、その説明を省略する。
【００２９】
本実施の形態における温度センサ固定装置１は、図７、図８に示すように、温度センサ固定面８を１８０度折り返したときに、感熱部保持板１８の感熱部１１を配置しない側１８ａに近接すると共に、感熱部保持溝１７の一部を覆うように箱部底面５ａに電線保持板１９を設置したもので、他の構成は、上記第３の実施の形態における温度センサ固定装置１と同じである。
【００３０】
以上のように、本実施の形態によれば、温度センサ固定面８が折り返しされたときに感熱部保持板１８の感熱部１１を配置しない側に近接すると共に感熱部保持溝１７の一部を覆う電線保持板１９を箱部底面５ａに設置することにより、より確実に温度センサ１０の感熱部１１を最適位置に保持し温度誤検知を防止することができ、信頼性の高い空気調和機を提供することができる。
【産業上の利用可能性】
【００３１】
以上のように、本発明にかかる空気調和機の温度センサ固定装置は、簡単な構造で温度センサを保護し温度誤検知を防止することが可能となるので、温度を検知して運転制御を行う送風機等の用途にも適用できる。
【図面の簡単な説明】
【００３２】
【図１】本発明の実施の形態１における空気調和機の温度センサ固定装置の斜視図
【図２】同空気調和機の温度センサ固定装置の完成状態を示す斜視図
【図３】本発明の実施の形態２における空気調和機の温度センサ固定装置の斜視図
【図４】同空気調和機の温度センサ固定装置の完成状態を示す斜視図
【図５】本発明の実施の形態３における空気調和機の温度センサ固定装置の斜視図
【図６】同空気調和機の温度センサ固定装置の完成状態を示す斜視図
【図７】本発明の実施の形態４における空気調和機の温度センサ固定装置の斜視図
【図８】同空気調和機の温度センサ固定装置の完成状態を示す斜視図
【図９】従来の空気調和機の温度センサ固定装置の斜視図
【図１０】同空気調和機の温度センサ固定装置の完成状態を示す斜視図
【符号の説明】
【００３３】
１  温度センサ固定装置
３  開口面
４  第一本体固定部
５  箱部
５ａ  箱部底面
６  温度センサ固定溝
７  第二本体固定部
８  温度センサ固定面
９  薄肉部
１０  温度センサ
１１  感熱部
１２  電線
１３  熱交換器
１４  冷媒配管
１５、１６  固定爪
１７  感熱部保持溝
１８  感熱部保持板
１９  電線保持板
【図１】
2009204170.tif 000003
【図２】
2009204170.tif 000004
【図３】
2009204170.tif 000005
【図４】
2009204170.tif 000006
【図５】
2009204170.tif 000007
【図６】
2009204170.tif 000008
【図７】
2009204170.tif 000009
【図８】
2009204170.tif 000010
【図９】
2009204170.tif 000011
【図１０】
2009204170.tif 000012